(57)【特許請求の範囲】
【請求項１】
遊技機での入賞遊技に応じて払い出される遊技媒体である賞出媒体を整列させつつ送る導入経路を有し、該導入経路内に設けた計数センサ手段によって導入経路内で整列された賞出媒体を計数する賞出媒体計数器における不正防止において、
前記賞出媒体計数器の複数計数レーン毎に予め設定記憶された流下特性値情報と計数中に前記計数センサ手段によって当該各計数レーンを流下する単位計数時間当たりの前記賞出媒体の賞出媒体計数値とを比較する不正判定手段によって、前記予め記憶された流下特性値情報と前記計数により得られる賞出媒体計数値が所定偏差（差玉数の許容範囲）を超えたとき、不正検出信号を発生することを特徴とする賞出媒体計数器の不正防止装置。
【発明の詳細な説明】
【０００１】
【産業上の利用分野】
本発明は、入賞遊技に応じて払い出された賞出媒体の計数を実行する賞出媒体計数器に用いられる不正防止装置であって、特に、遊技盤面上に遊技媒体を打出して入賞を競う遊技機において入賞に応じ入賞媒体として払い出された賞出媒体の計数を実行する賞出媒体計数器に用いられる不正防止装置に関する。
【０００２】
【従来の技術】
遊技盤面上に遊技媒体を打出して入賞を競う遊技機において入賞に応じ入賞媒体として払い出された賞出媒体の計数を実行する賞出媒体計数器において、従来から行われている遊技媒体計数に係る不正行為としては、熊手状のセル板を挿入して賞出媒体の計数を過大にカウントアップさせることによって、不当な賞出媒体計数値を得るものがあった。
【０００３】
熊手状のセル板とは、熊の手のような形をした板の先端（つまり、指先）に各々発光ダイオードが所定方向に設けられ、これらの発光ダイオードの点滅を操作する制御部が手元に設けられた不正手段である。
【０００４】
このような不正手段（熊手状のセル板）を用いた不正としては以下、＜不正１＞〜＜不正３＞に示すような具体的な手段が実行されていた。
【０００５】
＜不正１＞  熊手状のセル板を挿入し手動で前後に動かして点滅信号（不正信号）を生成して、賞出媒体計数器における賞出媒体の計数を実行するための計数センサ手段の発光部（例えば、発光ダイオード）の発光信号（計数信号）を、熊手状のセル板の発光ダイオードに生成させた点滅信号（不正信号）に故意にすり替えて、賞出媒体計数器を過大にカウントアップさせることによって、不当な賞出媒体計数値を得るものがあった。
【０００６】
＜不正２＞  熊手状のセル板の先端を電気剃刀（シェーバー）等のモータを用いて回転させるようにしたものを用い、不正者は熊手状のセル板を賞出媒体計数器の簀の子レール（計数レーン）に沿って、賞出媒体計数器の計数センサ手段の発光部（例えば、発光ダイオード）まで挿入し、モータのスイッチをＯＮして、熊手状のセル板の発光ダイオードを回転させて点滅信号（不正信号）を生成させて、点滅信号（不正信号）を賞出媒体計数器の計数センサ手段の受光部（例えば、ホトダイオード）へ入射させて、自動的に賞出媒体計数器の賞出媒体計数値を過大にカウントアップさせることによって、不当な遊技媒体計数値を得るものがあった。
【０００７】
＜不正３＞  熊手状のセル板を賞出媒体計数器の簀の子レール（計数レーン）に沿って賞出媒体計数器の計数センサ手段の発光部（例えば、発光ダイオード）まで挿入し、手元の制御部を用いて熊手状のセル板の発光ダイオードの点滅速度（単位時間当たりの点滅回数）を調節して点滅信号（不正信号）を生成させて、賞出媒体計数器の計数センサ手段の受光部への発光信号（計数信号）を熊手状のセル板の発光ダイオードの点滅信号（不正信号）に故意にすり替えて、自動的に賞出媒体計数器の賞出媒体計数値を過大にカウントアップさせることによって、不当な遊技媒体計数値を得るものがあった。
【０００８】
このため、発光ダイオードの点滅速度を手元の制御部で調節することにより、短時間に効率よく賞出媒体計数値の不正が巧妙に実行されていた。
【０００９】
熊手状のセル板を挿入して賞出媒体の計数を過大にカウントアップさせる不正は、遊技場の管理者が巡回し、遊技機毎の遊技状態（例えば、大当り入賞やフィーバ入賞を数）に対する賞出媒体数を観察することによって、不正を監視および発見することが行われていた。
【００１０】
また、賞出媒体計数器からの賞出媒体計数値に代えて、架空（不当かつ過大な）の賞出媒体計数値を故意に発生させる不正が行われた場合、景品ＰＯＳと照合しても賞出媒体計数器関係に不正があったことをその場で判明できないことが多く、当該架空（不当かつ過大な）の賞出媒体計数値に応じた景品の払出しがされていた。
【００１１】
【発明が解決しようとする課題】
しかしながら、従来から行われている遊技場管理者の巡回による監視および発見では、熊手状のセル板を挿入して賞出媒体の計数を過大にカウントアップさせる不正は賞出媒体計数器毎に行われるため、賞出媒体計数値の不正の発見は遊技機毎の遊技状態（例えば、大当り入賞やフィーバ入賞の数）に対する賞出媒体数や賞出媒体計数値の観察に専ら頼っているが、遊技状態にある多くの遊技機に対して一つ一つ人海戦術で監視することは難しいという問題点があった。
【００１２】
また、熊手状のセル板を挿入して賞出媒体の計数を過大にカウントアップさせる不正が行われた場合、遊技状態にある多くの遊技機および賞出媒体計数器に対して一日に何回も景品ＰＯＳと照合して賞出媒体計数器関係の不正を逐次監視することは難しいという問題点があった。
【００１３】
本発明は、このような従来技術が有する問題点に着目してなされたもので、計数中に各計数レーンを流下する単位計数時間当たりの賞出媒体の計数値である賞出媒体計数値とを比較するとともに、流下特性値情報と賞出媒体計数値との偏差が所定偏差を超えたときに不正検出信号を発生して賞出媒体計数器に対する注意を促すことによって、賞出媒体計数器における賞出媒体の計数を過大にカウントアップさせる不正を防止できる不正防止装置を提供することを目的としている。
【００１４】
【課題を解決するための手段】
かかる目的を達成するための要旨とするところは、以下の項に存する。
【００１５】
［１］項  遊技機（１３）での入賞遊技に応じて払い出される遊技媒体（１２ａ）である賞出媒体（１２ａ）を整列させつつ送る導入経路を有し、該導入経路内に設けた計数センサ手段によって導入経路内で整列された賞出媒体（１２ａ）を計数する賞出媒体計数器における不正防止において、
前記賞出媒体計数器の複数計数レーン毎に予め設定記憶された流下特性値情報（２０ａ）と計数中に前記計数センサ手段によって当該各計数レーンを流下する単位計数時間当たりの前記賞出媒体（１２ａ）の賞出媒体計数値とを比較する不正判定手段（２４）によって、前記予め記憶された流下特性値情報（２０ａ）と前記計数により得られる賞出媒体計数値（２３ａ）が所定偏差（差玉数の許容範囲）を超えたとき、不正検出信号（２４ａ）を発生することを特徴とする賞出媒体計数器の不正防止装置。
【００１７】
【作用】
賞出媒体計数器は、前記入賞遊技に応じて払い出された賞出媒体（１２ａ）の計数を実行する。
【００１８】
不正防止装置（１０）は、賞出媒体計数器に装置され、賞出媒体計数器の計数レーン毎に予め設定記憶された流下特性値情報（２０ａ）と賞出媒体（１２ａ）の計数中に当該各計数レーンを流下する単位計数時間当たりの賞出媒体（１２ａ）の計数値である賞出媒体計数値（２３ａ）とを比較するとともに、流下特性値情報（２０ａ）と賞出媒体計数値（２３ａ）との偏差が前記所定偏差を超えたときに不正検出信号（２４ａ）を発生して賞出媒体計数器に対する注意を促す。
【００１９】
これにより、賞出媒体計数器における賞出媒体（１２ａ）の計数を過大にカウントアップさせる不正を防止できる。
【００２０】
以下に不正防止装置（１０）の動作をさらに詳しく説明する。
【００２１】
流下特性記録手段（２０）には、賞出媒体計数器の前記計数レーン毎の前記流下特性値情報（２０ａ）が予め設定記憶されている。
【００２２】
賞出媒体計数器による賞出媒体（１２ａ）の計数中に、賞出媒体計数手段（２３）が、前記各計数レーンを流下する単位計数時間当たりの前記流下媒体数を計数して賞出媒体計数値（２３ａ）を生成する。
【００２３】
賞出媒体計数器による賞出媒体（１２ａ）の計数中に、熊手状のセル板が挿入されて賞出媒体（１２ａ）の計数が過大にカウントアップされ不当な賞出媒体計数値（２３ａ）が発生した場合に、不正判定手段（２４）が、流下特性値情報（２０ａ）と不当に発生された賞出媒体計数値（２３ａ）とを比較する。
【００２４】
流下特性値情報（２０ａ）と不当に発生された賞出媒体計数値（２３ａ）との偏差が前記所定偏差を超えたときに、不正判定手段（２４）が、不正検出信号（２４ａ）を発生して賞出媒体計数器に対する注意を促す。
【００２５】
以上説明したように、本発明にかかる不正防止装置（１０）によれば、賞出媒体計数器における賞出媒体（１２ａ）の計数を過大にカウントアップさせる不正を防止することができる。
【００２６】
【実施例】
以下、図面に基づき本発明の一実施例を説明する。図１は本発明の一実施例に係る不正防止装置１０の機能ブロック図であり、図２は本発明の一実施例に係る遊技機１３の正面図である。
【００２７】
本実施例の遊技機１３は、遊技場内に複数配置されて成り、入賞確率を変化させ得る第一種遊技役物（可変表示手段）１７を備え、遊技盤面上に遊技媒体１２ａを打出し遊技媒体１２ａの入賞に応じた付与価値を与える（つまり、賞出媒体１２ａ（入賞媒体）の払出しを行う）ことによって入賞を競うものであって、図２に示すように、その機本体の正面側に、遊技盤面１１ａが形成されている。
【００２８】
遊技盤面１１ａの適所には、多数の遊技釘や特定入賞口（チャッカー）１５、保留表示手段１９、電動チューリップ１８、可変表示手段やＶゾーンやクルーン等の役物１７、及び可変入賞口１６等が多数装置されて成る。本実施例では、第一種遊技役物１７として可変表示手段１７を備えて成る。
【００２９】
更に、遊技盤面１１ａ内またはその周辺には遊技性を高めるための電飾が施されている。なお、遊技盤面１１ａの表面側は保護ガラスで覆われている。
【００３０】
遊技盤面１１ａの裏側には、役物（可変表示手段）１７から取込まれた入賞遊技媒体を整列せた状態で流下させるシュート部材が配設されている。かかるシュート部材の下流端には賞出媒体計数器が取付けられていてもよい。
【００３１】
図２は省略してあるが、遊技機の正面側の下半部には、遊技に供す遊技媒体１２ａを入れる前皿と、当該前皿からオーバーフローした遊技媒体１２ａを受入れる下皿とが、上下に設けられている。
【００３２】
本実施例の賞出媒体１２ａの計数情報、流下特性値情報２０ａ、賞出媒体計数値２３ａ、不正検出信号２４ａ等は、マイクロプロセッサーをベースとしたコンピュータを用いて制御を実現している。また、マイクロプロセッサーは、システムバス接続されている。
【００３３】
本実施例の賞出媒体計数器は、計数する賞出媒体１２ａを流下させるための複数の計数レーンが並列に設けられ、賞出媒体１２ａの計数を実行するための計数センサ手段（図示せず）が各計数レーン毎に設けられている。
【００３４】
賞出媒体計数器における賞出媒体１２ａの計数センサ手段は、ＬＥＤや光電管等を用いた光学的な検出手段、ホール素子等を用いた磁気的な検出手段、マトリックスセンサやタッチセンサ等を用いた電気抵抗の変化による電気的な検出手段、またはコンデンサを用いた誘電率の変化を検出する検出手段等を用いて実現できる。本実施例では、外乱ノイズに強く、小形で消費電力の少ないＬＥＤを用いた光学的な検出手段を用いている。
【００３５】
本実施例における不正防止装置１０は、図１に示すように、賞出媒体計数器における賞出媒体１２ａの計数を過大にカウントアップさせる不正を防止するものであって、流下特性記録手段２０と賞出媒体計数手段２３と不正判定手段２４とを装置して成る。
【００３６】
本実施例の流下特性記録手段２０、賞出媒体計数手段２３、不正判定手段２４等における制御は、マイクロプロセッサーをベースとしたコンピュータによって実現している。また、マイクロプロセッサーは、システムバス接続されている。
【００３７】
賞出媒体１２ａの計数情報、流下特性値情報２０ａ、賞出媒体計数値２３ａ、不正検出信号２４ａ等のデータの伝送は、コンピュータのシステムバスを介して実行される。またイーサネットバス、ＧＰ−ＩＢバス、ＲＳ２３２Ｃバス、ＶＬバス、ＩＳＡバス、ＥＩＳバスＡ、ＰＣＩバス、Ｓ１００バスまたはセントロニクスバス等のバス構造を用いたときは、各々に該当する所定の通信プロトコルに準拠してデータの伝送が実行される。
【００３８】
流下特性記録手段２０は、賞出媒体計数器の計数レーン毎の流下特性値情報２０ａが予め設定記憶可能なように、賞出媒体計数器と不正判定手段２４に接続されて成る。
【００３９】
賞出媒体計数手段２３は、賞出媒体１２ａの計数中に各計数レーンを流下する単位計数時間当たりの流下媒体数を計数して賞出媒体計数値２３ａを生成するよう、賞出媒体計数器と不正判定手段２４に接続されて成る。
【００４０】
賞出媒体計数手段２３における賞出媒体１２ａの計数手段は、ＬＥＤや光電管等を用いた光学的な検出手段、ホール素子等を用いた磁気的な検出手段、マトリックスセンサやタッチセンサ等を用いた電気抵抗の変化による電気的な検出手段、またはコンデンサを用いた誘電率の変化を検出する検出手段等を用いて実現できる。本実施例では、外乱ノイズに強く、小形で消費電力の少ないＬＥＤを用いた光学的な検出手段を用いている。
【００４１】
なお、賞出媒体計数器における計数センサ手段と賞出媒体計数手段２３における賞出媒体１２ａの計数手段とを共通にすることも可能である。
【００４２】
不正判定手段２４は、流下特性値情報２０ａと賞出媒体計数値２３ａとを比較するとともに、当該流下特性値情報２０ａと当該賞出媒体計数値２３ａとの偏差が所定偏差を超えたときに不正検出信号２４ａを発生して当該賞出媒体計数器に対する注意を促すよう、賞出媒体計数手段２３と賞出媒体計数手段２３に接続されて成る。
【００４３】
本実施例における流下特性値情報２０ａと賞出媒体計数値２３ａとの偏差とは、流下特性値情報２０ａと賞出媒体計数値２３ａとの差玉数である。また、所定偏差とは、当該差玉数の許容範囲である。
【００４４】
次に作用を説明する。
【００４５】
初めに、本実施例における遊技機１３の動作を説明する。
【００４６】
本実施例の遊技機１３は、遊技場内に複数配置されて成り、入賞確率を変化させ得る第一種遊技役物（可変表示手段）１７を備え、遊技盤面上に遊技媒体１２ａを打出し遊技媒体１２ａの入賞に応じた付与価値を与える（つまり、入賞媒体の払出し）ことによって入賞を競う。
【００４７】
遊技制御はマイクロプロセッサーが実行可能なソフトウェアにより実現している。遊技制御に必要な情報は記録媒体に保存されており、マイクロプロセッサーのコマンドによって読み出されたり、変更されたりできる。
【００４８】
遊技盤面１１ａに打ち出された遊技媒体１２ａは、電動チューリップ１８や特定入賞口１５等に入賞することができる。
【００４９】
遊技媒体１２ａの入賞を検出したとき、遊技盤面１１ａ上に設けられた特定入賞口１５が、役物（可変表示手段）１７を作動させる。
【００５０】
入賞遊技の実行中に新たに特定入賞口１５（チャッカー）への入賞が発生したとき、遊技盤面１１ａ上に設けられた保留表示手段１９が、未実行の入賞遊技の行使権利数である保留回数を記憶する。さらに、実行した行使権利数を保留回数から減算して更新、記憶および表示を行う。
【００５１】
本実施例では、未実行の絵柄合わせ遊技の行使権利数（つまり、保留権利数）を表示ランプ（保留ランプ）によって実現している。未実行の絵柄合わせ遊技の行使権利数は４つまで保留可能なものとし、図２に示すように、役物（可変表示手段）１７の上部に表示ランプ（保留ランプ）を所定個数（本実施例では、４つ）配設している。図２においては、４つある表示ランプの内３個が、保留回数（このときの、保留権利数は３つ）に基づいて点灯状態（●）に成っている様子を示してある。なお、消灯状態は（○）で示している。
【００５２】
保留回数または特定入賞に応じて、第一種入賞遊技を実行することができる。
【００５３】
第一種入賞遊技は、所定数（本実施例では、３枚）の表示欄上で所定種類の絵柄（図示せず）（本実施例では、「０」〜「９」の１０種類）を回動表示させ、所定の停止タイミングで各絵柄（図示せず）の変化を停止させて絵柄（図示せず）の組み合わせが大当り絵柄（例えば、「８８８」）と一致した場合に、大当り遊技の実行権利を与える。
【００５４】
次に、第一種入賞遊技の結果に基づいて、可変入賞口１６が所定時間内に所定回数の賞出媒体（入賞媒体）１２ａが与えられる。
【００５５】
賞出媒体計数器は、前記入賞遊技に応じて払い出された賞出媒体１２ａの計数を実行する。
【００５６】
次に本実施例の不正防止装置１０の動作を説明する。
【００５７】
不正防止装置１０は、賞出媒体計数器に装置され、賞出媒体計数器の計数レーン毎に予め設定記憶された流下特性値情報２０ａと賞出媒体１２ａの計数中に当該各計数レーンを流下する単位計数時間当たりの賞出媒体１２ａの計数値である賞出媒体計数値２３ａとを比較するとともに、流下特性値情報２０ａと賞出媒体計数値２３ａとの偏差（差玉数）が前記所定偏差（差玉数の許容範囲）を超えたときに不正検出信号２４ａを発生して賞出媒体計数器に対する注意を促す。
【００５８】
これにより、賞出媒体計数器における賞出媒体１２ａの計数を過大にカウントアップさせる不正を防止できる。
【００５９】
以下に不正防止装置１０の動作をさらに詳しく説明する。
【００６０】
流下特性記録手段２０には、賞出媒体計数器の前記計数レーン毎の前記流下特性値情報２０ａが予め設定記憶されている。
【００６１】
賞出媒体計数器による賞出媒体１２ａの計数中に、賞出媒体計数手段２３が、前記ＬＥＤを用いた光学的な検出手段によって、前記各計数レーンを流下する単位計数時間当たりの前記流下媒体数を計数して賞出媒体計数値２３ａを生成する。
【００６２】
なお、賞出媒体計数手段２３における賞出媒体１２ａの計数手段は、前記ＬＥＤや光電管等を用いた光学的な検出手段の他、ホール素子等を用いた磁気的な検出手段、マトリックスセンサやタッチセンサ等を用いた電気抵抗の変化による電気的な検出手段、またはコンデンサを用いた誘電率の変化を検出する検出手段等を用いても実現できる。
【００６３】
賞出媒体計数器による賞出媒体１２ａの計数中に、熊手状のセル板が挿入されて賞出媒体１２ａの計数が過大にカウントアップされ、前記ＬＥＤを用いた光学的な検出手段によって、不当な賞出媒体計数値２３ａが発生した場合に、不正判定手段２４が、流下特性値情報２０ａと不当に発生された賞出媒体計数値２３ａとを比較する。
【００６４】
流下特性値情報２０ａと不当に発生された賞出媒体計数値２３ａとの偏差（差玉数）が前記所定偏差（差玉数の許容範囲）を超えたときに、不正判定手段２４が、不正検出信号２４ａを発生して賞出媒体計数器に対する注意を促す。
【００６５】
更に詳しく本実施例の不正防止装置１０における、前記＜不正１＞〜＜不正３＞に対する不正防止動作について述べる。
【００６６】
＜不正１＞に対する不正防止動作。
熊手状のセル板を挿入し手動で前後に動かして点滅信号（不正信号）を生成して、賞出媒体計数器における賞出媒体１２ａの計数を実行するための計数センサ手段の発光部（例えば、発光ダイオード）の発光信号（計数信号）を、熊手状のセル板の発光ダイオードに生成させた点滅信号（不正信号）に故意にすり替えて、賞出媒体計数器を過大にカウントアップさせることによって不当な賞出媒体計数値２３ａが発生した場合には、前記ＬＥＤを用いた光学的な検出手段によって、不当な賞出媒体計数値２３ａが検出され、更に不正判定手段２４が、流下特性値情報２０ａと不当に発生された賞出媒体計数値２３ａとを比較する。
【００６７】
流下特性値情報２０ａと不当に発生された賞出媒体計数値２３ａとの偏差（差玉数）が前記所定偏差（差玉数の許容範囲）を超えたときに、不正判定手段２４が、不正検出信号２４ａを発生して賞出媒体計数器に対する注意を促す。
【００６８】
つまり、本実施例にかかる不正防止装置１０によれば、遊技場の管理者が巡回し、遊技機１３毎の遊技状態（例えば、大当り入賞やフィーバ入賞を数）に対する賞出媒体数を観察することなく、不正を監視および発見することが可能となる。
【００６９】
また、賞出媒体計数器からの賞出媒体計数値２３ａに代えて、架空（不当かつ過大な）の賞出媒体計数値２３ａを故意に発生させる不正が行われた場合、景品ＰＯＳと照合しても賞出媒体計数器関係に不正があったことをその場で判明可能となり、できないことが多く、架空（不当かつ過大な）の賞出媒体計数値２３ａに対する景品の払出しを防止できる。
【００７０】
＜不正２＞に対する不正防止動作。
熊手状のセル板の先端を電気剃刀（シェーバー）等のモータを用いて回転させるようにしたものを用い、不正者は熊手状のセル板を賞出媒体計数器の計数レーン（簀の子レール）に沿って、賞出媒体計数器の計数センサ手段の発光部（例えば、発光ダイオード）まで挿入し、モータのスイッチをＯＮして、熊手状のセル板の発光ダイオードを回転させて点滅信号（不正信号）を生成させて、点滅信号（不正信号）を賞出媒体計数器の計数センサ手段の受光部（例えば、ホトダイオード）へ入射させて、自動的に賞出媒体計数器の賞出媒体計数値２３ａを過大にカウントアップさせることによって不当な賞出媒体計数値２３ａが発生した場合には、前記ＬＥＤを用いた光学的な検出手段によって、不当な賞出媒体計数値２３ａが検出され、更に不正判定手段２４が、流下特性値情報２０ａと不当に発生された賞出媒体計数値２３ａとを比較する。
【００７１】
流下特性値情報２０ａと不当に発生された賞出媒体計数値２３ａとの偏差（差玉数）が前記所定偏差（差玉数の許容範囲）を超えたときに、不正判定手段２４が、不正検出信号２４ａを発生して賞出媒体計数器に対する注意を促す。
【００７２】
つまり、本実施例にかかる不正防止装置１０によれば、遊技場の管理者が巡回し、遊技機１３毎の遊技状態（例えば、大当り入賞やフィーバ入賞を数）に対する賞出媒体数を観察することなく、不正を監視および発見することが可能となる。
【００７３】
また、賞出媒体計数器からの賞出媒体計数値２３ａに代えて、架空（不当かつ過大な）の賞出媒体計数値２３ａを故意に発生させる不正が行われた場合、景品ＰＯＳと照合しても賞出媒体計数器関係に不正があったことをその場で判明可能となり、できないことが多く、架空（不当かつ過大な）の賞出媒体計数値２３ａに対する景品の払出しを防止できる。
【００７４】
＜不正３＞に対する不正防止動作。
熊手状のセル板を賞出媒体計数器の計数レーン（簀の子レール）に沿って賞出媒体計数器の計数センサ手段の発光部（例えば、発光ダイオード）まで挿入し、手元の制御部を用いて熊手状のセル板の発光ダイオードの点滅速度（単位時間当たりの点滅回数）を調節して点滅信号（不正信号）を生成させて、賞出媒体計数器の計数センサ手段の受光部への発光信号（計数信号）を熊手状のセル板の発光ダイオードの点滅信号（不正信号）に故意にすり替えて、自動的に賞出媒体計数器の賞出媒体計数値２３ａを過大にカウントアップさせることによって不当な賞出媒体計数値２３ａが発生した場合には、前記ＬＥＤを用いた光学的な検出手段によって、不当な賞出媒体計数値２３ａが検出され、更に不正判定手段２４が、流下特性値情報２０ａと不当に発生された賞出媒体計数値２３ａとを比較する。
【００７５】
流下特性値情報２０ａと不当に発生された賞出媒体計数値２３ａとの偏差（差玉数）が前記所定偏差（差玉数の許容範囲）を超えたときに、不正判定手段２４が、不正検出信号２４ａを発生して賞出媒体計数器に対する注意を促す。
【００７６】
つまり、本実施例にかかる不正防止装置１０によれば、遊技場の管理者が巡回し、遊技機１３毎の遊技状態（例えば、大当り入賞やフィーバ入賞を数）に対する賞出媒体数を観察することなく、不正を監視および発見することが可能となる。
【００７７】
また、賞出媒体計数器からの賞出媒体計数値２３ａに代えて、架空（不当かつ過大な）の賞出媒体計数値２３ａを故意に発生させる不正が行われた場合、景品ＰＯＳと照合しても賞出媒体計数器関係に不正があったことをその場で判明可能となり、できないことが多く、架空（不当かつ過大な）の賞出媒体計数値２３ａに対する景品の払出しを防止できる。
【００７８】
なお、熊手状のセル板とは、熊の手のような形をした板の先端（つまり、指先）に各々発光ダイオードが所定方向に設けられ、これらの発光ダイオードの点滅を操作する制御部が手元に設けられた不正手段である。
【００７９】
以上説明したように、本実施例にかかる不正防止装置１０によれば、賞出媒体計数器における賞出媒体１２ａの計数を過大にカウントアップさせる不正を防止することができる。
【００８０】
【発明の効果】
本発明にかかる賞出媒体計数器の不正防止装置によれば、計数器の複数ある各計数レーン毎の流下特性値情報を予め記憶させておき、媒体の計数中に各計数レーンを流下する単位計数時間当たりの賞出媒体の計数値である賞出媒体計数値と予め記憶された流下特性値情報とを比較することによって、所定偏差（差玉数の許容範囲）を超えたとき、不正検出信号を発生して、周囲に不正が行われていることを報知することによって賞出媒体計数器における賞出媒体の計数を過大にカウントアップする不正を防止することができる。
【図面の簡単な説明】
【図１】  本発明の一実施例に係る不正防止装置の機能ブロック図である。
【図２】  本発明の一実施例に係る遊技機の正面図である。
【符号の説明】
１０…不正防止装置
１２ａ…賞出媒体
２０…流下特性記録手段
２０ａ…流下特性値情報
２３…賞出媒体計数手段
２３ａ…賞出媒体計数値
２４…不正判定手段
２４ａ…不正検出信号
【図１】
0003830548.tif 000002
【図２】
0003830548.tif 000003